(57)【要約】【課題】海苔養殖支柱の打ち込みの際に船体に与えられる応力を極小化させることができ、建柱した海苔養殖支柱を引き抜いて回収もできる海苔養殖支柱の建柱装置を提供する。【解決手段】船Sの舳先Fに固定される支持台12と、支持台12の上面にて起倒可能に設けられた可動柱14と、可動柱14と略直交するようにして可動柱14の先端に取り付けられた長尺筒状の本体棹16と、本体棹16の後端側に取り付けられ、本体棹16内に向けて進退作動される長尺のアーム18と、アーム18の後端部に設けられ、海苔養殖支柱Pを挟持する開閉式のクランプ部20と、本体棹16の先端側に設けられ、海苔養殖支柱Pの進退方向をガイドする開閉式の先端ガイド部22と、本体棹16の後端側に設けられ、海苔養殖支柱Pの進退方向をガイドする開閉式の後端ガイド部24とで構成されていることを特徴とする。【選択図】図１
2011072286.tif 000002
【特許請求の範囲】
【請求項１】
船体に搭載され、海面上または海面付近に海苔養殖網を張設するための海苔養殖支柱を海底に打込む建柱装置であって、
船の舳先に固定される支持台と、
前記支持台の上面にて起倒可能に設けられた可動柱と、
前記可動柱と略直交するようにして前記可動柱の先端に取り付けられた長尺の本体棹と、
前記本体棹の後端側に取り付けられ、前記本体棹内に向けて進退作動される長尺のアームと、
前記アームの後端部に設けられ、前記海苔養殖支柱を挟持する開閉式のクランプ部と、
前記本体棹の先端側に設けられ、前記海苔養殖支柱の進退方向をガイドする開閉式の先端ガイド部と、
前記本体棹の後端側に設けられ、前記海苔養殖支柱の進退方向をガイドする開閉式の後端ガイド部とで構成されていることを特徴とする海苔養殖支柱の建柱装置。
【発明の詳細な説明】
【技術分野】
【０００１】
本発明は、海苔養殖に用いる網を支持する海苔養殖支柱を船上から海底に打込むための建柱装置に関する。
【背景技術】
【０００２】
海苔を養殖する際には、海底に打込まれた複数の海苔養殖支柱間に海苔養殖網を張設するが、この海苔養殖網を張設する海苔養殖支柱には、一般に全長１０ｍ程度の合成樹脂製の棒状体が使用されている。
【０００３】
従来、この海苔養殖支柱の海底への打込み作業は人力により行なわれていたが、かかる作業は９月の残暑が厳しい時期に船上で行なわれるため、作業者にとっては大変な重労働となっていた。
【０００４】
このような背景の下、作業者の負担を軽減するため、かかる支柱の打込み作業を機械的なアシストを受けて行なう様々な装置が提案されている。
【０００５】
例えば特許文献１には、三次元に動作するアームと、該アームの先端部に固定されたブレーカと、ブレーカの先端部に固定され、海苔養殖支柱を保持する支柱保持部材とを有する海苔養殖支柱の建柱装置が開示されている。
【０００６】
かかる建柱装置によれば、海苔養殖支柱の立て込みをアームの操作により機械的に行なうことができるので、作業者の負担が軽減される。また、ブレーカにより海苔支柱を上下に細かく振動させながら立て込みを行なうので、海底が固い場合であっても海苔支柱の立て込みを容易に行なうことができる。
【先行技術文献】
【特許文献】
【０００７】
【特許文献１】特開２００３−１７４８２９号公報
【発明の概要】
【発明が解決しようとする課題】
【０００８】
しかしながら、上記建柱装置では、海底に海苔養殖支柱を打込むため頑強に作製されたアームが、三次元の広範に亘って動作することから、このような動作時に当該アームに遠心力が作用するようになる。このため、特に小型の船舶が使用される海苔養殖では、かかる遠心力によって船体が揺れて不安定になると云った問題の生じるおそれがある。
【０００９】
また、かかる建柱装置では、海苔養殖支柱を海底に打ち込むことはできるものの、海苔の養殖が終わり、建柱した海苔養殖支柱を海底から引き抜いて回収する際には、機械的なアシストを利用することができず何の役にも立たないと云う問題があった。
【００１０】
それゆえに、本発明の主たる課題は、機械的なアシストによって作業者の負担を低減できるのはもとより、海底への海苔養殖支柱の打ち込みの際に船体に与えられる応力を極小化させることができると共に、建柱した海苔養殖支柱を引き抜いて回収する際にも使用することが可能な海苔養殖支柱の建柱装置を提供することである。
【課題を解決するための手段】
【００１１】
「請求項１」に記載した発明は、船体に搭載され、海面上または海面付近に海苔養殖網を張設するための海苔養殖支柱Ｐを海底Ｇに打込む建柱装置１０であって、
（ａ）船Ｓの舳先Ｆに固定される支持台１２と、
（ｂ）前記支持台１２の上面にて起倒可能に設けられた可動柱１４と、
（ｃ）前記可動柱１４と略直交するようにして前記可動柱１４の先端に取り付けられた長尺の本体棹１６と、
（ｄ）前記本体棹１６の後端側に取り付けられ、前記本体棹１６内に向けて進退作動される長尺のアーム１８と、
（ｆ）前記アーム１８の後端部に設けられ、前記海苔養殖支柱Ｐを挟持する開閉式のクランプ部２０と、
（ｇ）前記本体棹１６の先端側に設けられ、前記海苔養殖支柱Ｐの進退方向をガイドする開閉式の先端ガイド部２２と、
（ｈ）前記本体棹１６の後端側に設けられ、前記海苔養殖支柱Ｐの進退方向をガイドする開閉式の後端ガイド部２４とで構成されている
（ｉ）ことを特徴とする海苔養殖支柱Ｐの建柱装置１０、である。
【発明の効果】
【００１２】
本発明によれば、海底に海苔養殖支柱を打込む際、まず始めに打込みエアシリンダを作動させてクランプ部が本体棹から離間するようにアームを後退させた後、当該クランプ部にて先端ガイド部及び後端ガイド部を通した海苔養殖支柱を挟持する。そして、このようにして海苔養殖支柱を載置した本体棹が鉛直方向を向くように可動柱を倒伏させた後、再び打込みエアシリンダを作動させてクランプ部が本体棹に近接するようにアームを本体棹内に進入させる。このように本発明では、アームの上下運動によって、クランプ部に挟持され且つ先端ガイド部及び後端ガイド部に案内された海苔養殖支柱が正確且つ安定的に海底に打込まれるので、「背景技術」で紹介した従来の建柱装置のように動作時にアームに遠心力が作用することがなく船体が揺れて不安定になると云った問題は生じない。
【００１３】
また、クランプ部で挟持させた海苔養殖支柱を持ち替えながらアームを本体棹内に向けて進退作動させることによって海底に海苔養殖支柱が打込まれるが、クランプ部における海苔養殖支柱の持ち替え手順を逆にすることによって海底に打込んだ海苔養殖支柱を海底から引き抜くこともできる。
【００１４】
したがって、機械的なアシストによって作業者の負担を低減できるのはもとより、海底への海苔養殖支柱の打ち込みの際に船体に与えられる応力を極小化させることができると共に、建柱した海苔養殖支柱を引き抜いて回収する際にも使用することが可能な海苔養殖支柱の建柱装置を提供することができる。
【図面の簡単な説明】
【００１５】
【図１】本発明の海苔養殖支柱の建柱装置の一例を示す概略図である。
【図２】図１におけるＡ矢視図(クランプ部を示すもの)である。
【図３】図１におけるＢ矢視図(先端ガイド部を示すもの)である。
【図４】図１におけるＣ矢視図(後端ガイド部を示すもの)である。
【図５】本発明の海苔養殖支柱の建柱装置を用いた建柱方法(〜「海苔養殖支柱のセット」まで)を示す説明図である。
【図６】本発明の海苔養殖支柱の建柱装置を用いた建柱方法(「海苔養殖支柱のセット」〜「第１回目の打込み」まで)を示す説明図である。
【図７】本発明の海苔養殖支柱の建柱装置を用いた建柱方法(「第１回目の打込み」〜「最終的な打込み」まで)を示す説明図である。
【発明を実施するための形態】
【００１６】
以下、本発明を図面に従って詳述する。図１は、本発明における一実施例の海苔養殖支柱Ｐの建柱装置１０を示す概略図である。この建柱装置１０は、船体に搭載され、海面上または海面付近に海苔養殖網を張設するための海苔養殖支柱Ｐを海底Ｇに打込むためのもので(図５乃至７参照)、図１に示すように、大略、支持台１２，可動柱１４，本体棹１６，アーム１８，クランプ部２０，先端ガイド部２２及び後端ガイド部２４で構成されている。
【００１７】
支持台１２は、建柱装置１０のベースとなり、この建柱装置１０を船Ｓの舳先Ｆに固定するための耐錆金属製の台座である。支持台１２を船Ｓの舳先Ｆに固定した際における支持台１２の先端側(図１における左側)上面には、ヒンジ部１２ａを介して可動柱１４が起倒可能に取り付けられており、後端側(図１における右側)の上面には、後述する本体棹１６を倒伏させた際にこれを支える支持柱２６が立設されている。
【００１８】
可動柱１４は、上述したように(その後端側が)支持台１２の先端側の上面に起倒可能に取り付けられた耐錆金属製の柱状部材で、その先端には、この可動柱１４の軸線と略直交するようにして本体棹１６の先端側が固定されている。また、この可動柱１４の起立方向側の側面(図１では右側面)と支持台１２の上面との間に反転スクリュージャッキ２８が架設されており、この反転スクリュージャッキ２８の回転方向を切り替えることによって可動柱１４が起立或いは倒伏するようになっている。
【００１９】
本体棹１６は、耐錆金属製の長尺筒状部材で、その後端側には、中実或いは中空長棒状のアーム１８が、該本体棹１６の内部に向けて進退可能に取り付けられている。なお、図示実施例では、この本体棹１６として幅方向断面が四角形状のものを示しているが、その内部にアーム１８を進退可能に取り付けられる形状であれば、この本体棹１６の幅方向断面形状は上記に限定されるものではなく、例えば円形状や三角形状などであってもよい。また、この本体棹１６には、可動柱１４を起立させて該本体棹１６を水平に倒伏させた際における下側面側に、打込みエアシリンダ３０が沿設されており、この打込みシリンダ３０のシリンダロッド３０ａの先端は後述するクランプ部２０に接続されている。かかる構成により、打込みシリンダ３０を作動させることによってアーム１８が本体棹１６内を進退するようになっている。
【００２０】
クランプ部２０は、本体棹１６に載置される海苔養殖支柱Ｐを挟持するためのもので、アーム１８の後端に固定され且つ打込みシリンダ３０のシリンダロッド３０ａの先端が接続された角型の取付ベース３２上に取り付けられている。このクランプ部２０は、図２に示すように、取付ベース３２の表面に出没するシリンダロッド３４ａを有する複動式のエアシリンダ３４と、シリンダロッド３４ａの先端に取り付けられたクロスヘッド３６と、一端が取付ベース３２上に設けられたサポート基板３８に揺動自在に取り付けられ、他端が海苔養殖支柱Ｐに当接・挟持するよう内側に向けて鉤状に曲成された前後及び左右一対のアーム４０と、各アーム４０とクロスヘッド３６とをリンク結合する連結レバー４２とで大略構成されている。
【００２１】
なお、図２中の符号４４は、軽溝形鋼からなり、上記各部材が１つのユニットとなっているクランプ部２０を取付ベース３２に固定するための固定用ブロックであり、符号４６は、エアシリンダ３４にエアを送給するためのエア配管である。また、前後一対のアーム４０は、図１に示すように、ロッド４８で連結されている。
【００２２】
先端ガイド部２２は、本体棹１６の先端側に取り付けられ、後述する後端ガイド部２４と協働して本体棹１６に載置された海苔養殖支柱Ｐの進退方向を案内するためのもので、図３に示すように、軽溝形鋼からなり、倒伏状態における本体棹１６の上面側に固定される固定用ブロック５０と、この固定用ブロック５０の表面に出没するシリンダロッド５２ａを有する複動式のエアシリンダ５２と、シリンダロッド５２ａの先端に取り付けられたクロスヘッド５４と、一端が固定用ブロック５０上に設けられたサポート基板５６に揺動自在に取り付けられ、他端が海苔養殖支柱Ｐの外周を囲繞するよう内側に向けて鉤状に曲成された前後及び左右一対のアーム５８と、各アーム５８とクロスヘッド５４とをリンク結合する連結レバー６０とで大略構成されている。
【００２３】
なお、図３中の符号６２は、エアシリンダ５２にエアを送給するためのエア配管である。また、前後一対のアーム５８は、図１に示すように、ロッド６４で連結されている。
【００２４】
後端ガイド部２４は、本体棹１６の後端側に取り付けられるもので、図４に示すように、上端が略Ｖ字状に形成され、倒伏状態における本体棹１６の上面側に取り付けられるベース板６６と、このベース板６６上部の略Ｖ字状の切欠部分に取り付けられた幅方向断面略Ｖ字状の樋部材６８と、ベース板６６上にて揺動可能に軸支され、樋部材６８の上部を開閉する開閉アーム７０と、この開閉アーム７０に付勢力を与えるコイルばね等からなるばね部材７２とで大略構成されている。
【００２５】
このうち開閉アーム７０は、ベース板６６上に設けられた揺動軸６６ａに軸支された基端部７０ａから略半円形状に延ばされて樋部材６８の上部を開閉する円弧部７０ｂと、前記円弧部７０ｂの基端部７０ａ側の辺に対して鋭角となるように前記基端部７０ａから突出し、その先端に操作用ロープ(図示せず)を取り付けるための取付孔７０ｃが穿設された操作片７０ｄとで構成されている。
【００２６】
そして、この開閉アーム７０の所定位置にはバネ掛け用の先端係止突起７４が突設されており、この先端係止突起７４とベース板６６表面に突設された後端係止突起７６とに開閉アーム７０に対して付勢力を与えるばね部材７２が架設されている。
【００２７】
ここで、ばね部材７２の取付構造についてより詳しく説明すると、開閉アーム７０の円弧部７０ｂがベース板６６上部から離間して樋部材６８の上部が開放されている状態では、図４(ａ)に示すように、ばね部材７２の(伸縮方向を示す)軸線が開閉アーム７０を軸支する揺動軸６６ａの中心よりも下側（換言すれば、ベース板６６上部に対して円弧部７０ｂが離間状態を維持する方向に付勢力を与える側）に配置され、開閉アーム７０の円弧部７０ｂがベース板６６上部に近接して樋部材６８の上部が閉塞される状態では、図４(ｂ)に示すように、ばね部材７２の(伸縮方向を示す)軸線が揺動軸６６ａの中心を超えて上方（換言すれば、ベース板６６上部に対して円弧部７０ｂが近接状態を維持する方向に付勢力を与える側）へと移動するように構成されている。つまり、ばね部材７２の取り付けにこのような構造を採用することによって開閉アーム７０にクリック作用を付与することができる。
【００２８】
次に、以上のように構成された海苔養殖支柱Ｐの建柱装置１０の作用について説明する。まず始めに、船Ｓの舳先Ｆに固定した建柱装置１０を使用する際には、図５(ａ)に示すように、本体棹１６を倒伏させ、打込みシリンダ３０を作動させてアーム１８を後退させると共に、エアシリンダ３４及び５２を作動させてクランプ部２０及び先端ガイド部２２を開操作し(図２(a)及び図３(a)参照)、操作片７０ｄを使って手動で後端ガイド部２４を開操作する(図４(ａ)参照)。
【００２９】
続いて、図５(ｂ)に示すように、開操作したクランプ部２０，先端ガイド部２２及び後端ガイド部２４に海苔養殖支柱Ｐを載せた後、エアシリンダ３４を作動させてクランプ部２０を閉操作してクロスヘッド３６及びアーム４０で海苔養殖支柱Ｐをクランプすると共に(図２(ｂ)参照)、先端ガイド部２２及び後端ガイド部２４を閉操作して海苔養殖支柱Ｐの進退方向をガイドするようにする(図３(ｂ)及び図４(ｂ)参照)。
【００３０】
続いて、反転スクリュージャッキ２８を作動させて、海苔養殖支柱Ｐが載置された本体棹１６を海底Ｇに対して略垂直となるように(つまり、本体棹１６が鉛直方向を向くように)起立させる(図６(ａ)参照)。なお、本体棹１６の起立角度は反転スクリュージャッキ２８の出し量によって調節することが可能である。
【００３１】
そして、図６(ｂ)に示すように、アーム１８が本体棹１６内へと収納されるように打込みシリンダ３０を作動させてクランプ部２０でクランプした海苔養殖支柱Ｐを海底Ｇに打込む。
【００３２】
ここで、海底Ｇへの打込み量(深さ)が足りない場合には、エアシリンダ３４を作動させてクランプ部２０を開操作し、打込みシリンダ３０を作動させて本体棹１６からアーム１８を引き出した後、再びエアシリンダ３４を作動させてクランプ部２０を閉操作して海苔養殖支柱Ｐをクランプする(図７(ａ)参照)。そして、図７(ｂ)に示すように、アーム１８が本体棹１６内へと収納されるように打込みシリンダ３０を作動させてクランプ部２０でクランプした海苔養殖支柱Ｐを海底Ｇに向けて更に打込む。海苔養殖支柱Ｐが所定の深さに打込まれるまで上記操作を繰り返した後、クランプ部２０，先端ガイド部２２及び後端ガイド部２４を開操作し、建柱装置１０から海苔養殖支柱Ｐを離すことによって一本の海苔養殖支柱Ｐの建柱作業が完了する。
【００３３】
一方、海苔の養殖が終了し、海底Ｇから海苔養殖支柱Ｐを引き抜いて回収する際には、本発明の建柱装置１０を用い、上述した建柱方法とは逆の手順で機械的アシストを受けながら海苔養殖支柱Ｐを引き抜いて回収することができる。
【００３４】
このように本実施例の海苔養殖支柱Ｐの建柱装置１０によれば、アーム１８の上下運動によって海苔養殖支柱Ｐが正確且つ安定的に打込まれるので、従来の建柱装置のようにアーム１８に遠心力が作用することがなく船体が揺れて不安定になると云った問題は生じない。
【００３５】
また、クランプ部２０で挟持させた海苔養殖支柱Ｐを持ち替えながらアーム１８を本体棹１６内に向けて進退作動させることによって海底Ｇに海苔養殖支柱Ｐが打込まれるが、クランプ部２０における海苔養殖支柱Ｐの持ち替え手順を逆にすることによって打込んだ海苔養殖支柱Ｐを海底Ｇから引き抜くことができる。
【００３６】
したがって、機械的なアシストによって作業者の負担を低減できるのはもとより、海底Ｇへの海苔養殖支柱Ｐの打ち込みの際に船体に与えられる応力を極小化させることができると共に、建柱した海苔養殖支柱Ｐを引き抜いて回収する際にも使用することが可能な海苔養殖支柱Ｐの建柱装置１０を提供することができる。
【符号の説明】
【００３７】
１０…建柱装置
１２…支持台
１４…可動柱
１６…本体棹
１８…アーム
２０…クランプ部
２２…先端ガイド部
２４…後端ガイド部
２６…支持柱
２８…反転スクリュージャッキ
３０…打込みシリンダ
Ｓ…船
Ｆ…舳先
Ｐ…海苔養殖支柱
Ｇ…海底
【図１】
2011072286.tif 000003
【図２】
2011072286.tif 000004
【図３】
2011072286.tif 000005
【図４】
2011072286.tif 000006
【図５】
2011072286.tif 000007
【図６】
2011072286.tif 000008
【図７】
2011072286.tif 000009